(57)【要約】【課題】レンズ保持枠の光軸に沿った安定した移動を可能とするとともにレンズ鏡筒の本体への沈胴を確保し、さらにズームレンズ鏡筒の径の小型化を図る。【解決手段】複数のレンズ群Ｌ１〜Ｌ５の少なくともいずれかを光軸方向に移動自在に保持するズームレンズ鏡筒１００は、第１レンズ枠１０、第２レンズ枠２０の各外周を支持する、光軸Ｚ方向に平行に設けられた一対の第１ガイドシャフト１２ａ，１２ｂと、第３レンズ枠３０、第４レンズ枠４０、第５レンズ枠５０の各外周を支持する、光軸Ｚ方向に平行であってかつ一対の第１ガイドシャフト１２ａ，１２ｂに対して鏡筒面内の異なる位相位置に設けられた一対の第２ガイドシャフト８６ａ，８６ｂと、を備える。【選択図】図１
2007271792.tif 000002
【特許請求の範囲】
【請求項１】
複数のレンズ群の少なくともいずれかを光軸方向に移動自在に保持するズームレンズ鏡筒であって、
前記複数のレンズ群をそれぞれ有する複数のレンズ枠のうちのいずれか一または複数のレンズ枠の外周を支持する、前記光軸方向に平行に設けられた一対の第１ガイドシャフトと、
前記複数のレンズ枠のうち少なくとも残余のレンズ枠の外周を支持する、前記光軸方向に平行であってかつ前記一対の第１ガイドシャフトに対して鏡筒面内の異なる位相位置に設けられた一対の第２ガイドシャフトと、
を有することを特徴とするズームレンズ鏡筒。
【請求項２】
請求項１に記載のズームレンズ鏡筒において、
前記一対の第１ガイドシャフトと前記一対の第２ガイドシャフトは、鏡筒面内の異なる位相位置であって、光軸を中心とする同一円周上に位置することを特徴とするズームレンズ鏡筒。
【請求項３】
請求項１に記載のズームレンズ鏡筒において、
前記一対の第１ガイドシャフトと前記一対の第２ガイドシャフトは、鏡筒面内において互いに略９０度の位相位置であって、光軸を中心とする同一円周上に位置することを特徴とするズームレンズ鏡筒。
【請求項４】
請求項１に記載のズームレンズ鏡筒において、
前記複数のレンズ群は、少なくとも最も物体側のレンズ群、最も像面側のレンズ群、及び中間レンズ群を含み、
前記一対の第１ガイドシャフトは、前記中間レンズ群を有するレンズ枠の外周を支持し、
前記一対の第２ガイドシャフトは、前記最も像面側のレンズ群を有するレンズ枠の外周を支持する
ことを特徴とするズームレンズ鏡筒。
【請求項５】
請求項１記載のズームレンズ鏡筒において、
前記複数のレンズ群は、最も物体側から順に第１レンズ群、第２レンズ群、第３レンズ群、第４レンズ群、及び第５レンズ群を含み、
前記一対の第１ガイドシャフトは、第２レンズ群を有する第２レンズ枠の外周を支持し、
前記一対の第２ガイドシャフトは、第３レンズ群を有する第３レンズ枠、第４レンズ群を有する第４レンズ枠、第５レンズ群を有する第５レンズ枠の各外周を支持する
ことを特徴とするズームレンズ鏡筒。
【請求項６】
第１レンズ群を保持し、第１カムピンが内周面に突設された円筒状の第１レンズ枠と、
前記第１レンズ群より像面側に配置される第２レンズ群を保持し、第２カムピンが外周面に突設された第２レンズ枠と、
前記第２レンズ群より像面側に配置される第３レンズ群を保持し、第３カムピンが外周面に突設された第３レンズ枠と、
前記第１カムピンと係合する第１カム溝が外周面に形成され、前記第２カムピンと係合する第２カム溝及び前記第３カムピンと係合する第３カム溝が内周面に形成されたカム筒であって、前記第１レンズ枠の内側かつ前記第２レンズ枠及び前記第３レンズ枠の外側に設けられ、光軸を中心に回動することで前記第１レンズ枠と前記第２レンズ枠と前記第３レンズ枠とを光軸に沿って摺動させるカム筒と、
前記カム筒を光軸を中心に回動可能に保持する基板と、
前記カム筒内を光軸と平行に挿通するように、前記第１レンズ枠の物体側端面に像面側に向けて植設される一対の第１ガイドシャフトであって、前記第２レンズ枠の外周面に沿って光軸と平行に形成された第１ガイド貫通孔と嵌合し、前記第２レンズ枠の光軸に沿った摺動をガイドする一対の第１ガイドシャフトと、
前記カム筒内を光軸と平行に挿通するように、前記基板に物体側に向けて植設される一対の第２ガイドシャフトであって、前記第３レンズ枠の外周面に沿って光軸と平行に形成された第２ガイド貫通孔と嵌合し、前記第３レンズ枠の光軸に沿った摺動をガイドする一対の第２ガイドシャフトと、
を備え、
前記一対の第１ガイドシャフトを含む第１平面と、前記一対の第２ガイドシャフトを含む第２平面とは所定角度をなすことを特徴とするズームレンズ鏡筒。
【請求項７】
請求項６に記載のズームレンズ鏡筒において、
前記一対の第１ガイドシャフト及び前記一対の第２ガイドシャフトは、鏡筒面内の異なる位相位置であって、光軸を中心とする同一円周上に位置することを特徴とするズームレンズ鏡筒。
【請求項８】
請求項６または７に記載のズームレンズ鏡筒において、
前記所定角度は９０度であることを特徴とするズームレンズ鏡筒。
【請求項９】
請求項１乃至８のいずれか一つに記載のズームレンズ鏡筒を備える撮像装置。
【発明の詳細な説明】
【技術分野】
【０００１】
本発明は、ズームレンズ鏡筒に関し、特にレンズ群の保持構造に関する。
【背景技術】
【０００２】
一般に、ズーミングを行うカメラに備えられるレンズ鏡筒は、複数のレンズ群を有し、これら複数のレンズ群のうち少なくとも二つのレンズ群を光軸方向に移動させることにより焦点距離を変化させるように構成される。
【０００３】
特許文献１には、表面にカム溝が形成されたカム筒が光軸を中心として回動自在に基板上に保持され、カム筒の回動によりレンズ保持枠がカム筒のカム溝に沿って摺動することで光軸方向に沿って移動するレンズ鏡筒が開示されている。
【０００４】
このようなズームレンズ鏡筒において、比較的長い焦点距離を確保するために物体側のレンズ群をより物体側に光軸に沿って移動させる場合には、カム筒を基板より物体側に光軸に沿って移動させる必要がある。しかし、カム筒を光軸を中心として回動させながら光軸方向に移動させることでレンズ枠を光軸に沿って移動させる場合、レンズ枠の光軸方向の移動が不安定になる場合がある。
【０００５】
特許文献２には、カム筒内に光軸と平行にガイドシャフト（ガイドバー）を設け、レンズ保持枠の外周面に沿って光軸と平行に形成された貫通孔とガイドシャフトとを嵌合したレンズ鏡筒が開示されている。カム筒内にガイドシャフトを設けることで、ガイドシャフトがレンズ保持枠のガイドレールとして機能し、レンズ保持枠の光軸方向の移動の安定性を増加させることができる。しかし、特許文献２に開示されたようなズームレンズでは、ガイドシャフトが障壁となり、カム筒を光軸に沿って像面方向に移動させ、カメラ本体内にカム筒を沈胴させることができず、ズームレンズ鏡筒の光軸方向の寸法を短くすることが困難になる。
【０００６】
特許文献３には、カメラ本体に固定された固定枠と、固定枠の内側に摺動可能に保持される移動枠とを含むズームレンズが開示されている。固定枠には、像面側のレンズ群が光軸に沿って移動する際のガイドレールとして機能する像面側ガイドシャフトが設けられ、移動枠には、物体側のレンズ群が光軸に沿って移動する際のガイドレールとして機能する物体側ガイドシャフトが設けられる。このように、２種類のガイドシャフトをレンズ鏡筒内に設けることで、ガイドシャフトが障壁とならずに、カメラ本体内に移動枠を沈胴させることができる。しかし、特許文献３に開示されたようなズームレンズでは、移動枠の内側に物体側ガイドシャフトが設けられ、移動枠の外側に像面側ガイドシャフトが設けられるため、レンズ鏡筒の径が大きくなる。
【０００７】
【特許文献１】特公昭５４−４３３７３号公報
【特許文献２】特開２００５−２９２２１２号公報
【特許文献３】特開平６−２９４９２０号公報
【発明の開示】
【発明が解決しようとする課題】
【０００８】
上記のように、従来においてはレンズ保持枠の安定とレンズ鏡筒の沈胴を確保するとともに、レンズ鏡筒のサイズの縮小化を図ることは困難である。
【０００９】
本発明は、レンズ保持枠の光軸に沿った安定した移動を可能とするとともにレンズ鏡筒の本体への沈胴を確保し、さらにズームレンズ鏡筒の径の小型化を図ることを目的とする。
【課題を解決するための手段】
【００１０】
本発明は、複数のレンズ群の少なくともいずれかを光軸方向に移動自在に保持するズームレンズ鏡筒であって、前記複数のレンズ群をそれぞれ有する複数のレンズ枠のうちのいずれか一または複数のレンズ枠の外周を支持する、前記光軸方向に平行に設けられた一対の第１ガイドシャフトと、前記複数のレンズ枠のうち少なくとも残余のレンズ枠の外周を支持する、前記光軸方向に平行であってかつ前記一対の第１ガイドシャフトに対して鏡筒面内の異なる位相位置に設けられた一対の第２ガイドシャフトと、を有することを特徴とする。
【００１１】
本発明に係るズームレンズ鏡筒の１つの態様では、前記一対の第１ガイドシャフトと前記一対の第２ガイドシャフトは、鏡筒面内の異なる位相位置であって、光軸を中心とする同一円周上に位置することを特徴とする。
【００１２】
本発明に係るズームレンズ鏡筒の１つの態様では、前記一対の第１ガイドシャフトと前記一対の第２ガイドシャフトは、鏡筒面内において互いに略９０度の位相位置であって、光軸を中心とする同一円周上に位置することを特徴とする。
【００１３】
本発明に係るズームレンズ鏡筒の１つの態様では、前記複数のレンズ群は、少なくとも最も物体側のレンズ群、最も像面側のレンズ群、及び中間レンズ群を含み、前記一対の第１ガイドシャフトは、前記中間レンズ群を有するレンズ枠の外周を支持し、前記一対の第２ガイドシャフトは、前記最も像面側のレンズ群を有するレンズ枠の外周を支持することを特徴とする。
【００１４】
本発明に係るズームレンズ鏡筒の１つの態様では、前記複数のレンズ群は、最も物体側から順に第１レンズ群、第２レンズ群、第３レンズ群、第４レンズ群、及び第５レンズ群を含み、前記一対の第１ガイドシャフトは、第２レンズ群を有する第２レンズ枠の外周を支持し、前記一対の第２ガイドシャフトは、第３レンズ群を有する第３レンズ枠、第４レンズ群を有する第４レンズ枠、第５レンズ群を有する第５レンズ枠の各外周を支持することを特徴とする。
【００１５】
本発明に係るズームレンズ鏡筒は、第１レンズ群を保持し、第１カムピンが内周面に突設された円筒状の第１レンズ枠と、前記第１レンズ群より像面側に配置される第２レンズ群を保持し、第２カムピンが外周面に突設された第２レンズ枠と、前記第２レンズ群より像面側に配置される第３レンズ群を保持し、第３カムピンが外周面に突設された第３レンズ枠と、前記第１カムピンと係合する第１カム溝が外周面に形成され、前記第２カムピンと係合する第２カム溝及び前記第３カムピンと係合する第３カム溝が内周面に形成されたカム筒であって、前記第１レンズ枠の内側かつ前記第２レンズ枠及び前記第３レンズ枠の外側に設けられ、光軸を中心に回動することで前記第１レンズ枠と前記第２レンズ枠と前記第３レンズ枠とを光軸に沿って摺動させるカム筒と、前記カム筒を光軸を中心に回動可能に保持する基板と、前記カム筒内を光軸と平行に挿通するように、前記第１レンズ枠の物体側端面に像面側に向けて植設される一対の第１ガイドシャフトであって、前記第２レンズ枠の外周面に沿って光軸と平行に形成された第１ガイド貫通孔と嵌合し、前記第２レンズ枠の光軸に沿った摺動をガイドする一対の第１ガイドシャフトと、前記カム筒内を光軸と平行に挿通するように、前記基板に物体側に向けて植設される一対の第２ガイドシャフトであって、前記第３レンズ枠の外周面に沿って光軸と平行に形成された第２ガイド貫通孔と嵌合し、前記第３レンズ枠の光軸に沿った摺動をガイドする一対の第２ガイドシャフトと、を備え、前記一対の第１ガイドシャフトを含む第１平面と、前記一対の第２ガイドシャフトを含む第２平面とは所定角度をなすことを特徴とする。
【発明の効果】
【００１６】
本発明によれば、レンズ鏡筒の本体への沈胴を確保し、さらにズームレンズ鏡筒の径の小型化を図ることができる。
【発明を実施するための最良の形態】
【００１７】
本発明を実施するための最良の形態（以下、実施形態と称す）について、以下図面を用いて説明する。
【００１８】
本実施形態における沈胴式レンズ鏡筒１００（以下、レンズ鏡筒１００と称す）について図１から図５を用いて説明する。図１は、物体側から見たレンズ鏡筒１００の分解斜視図である。図２は、像面側から見たレンズ鏡筒１００の分解斜視図である。図３は、レンズ鏡筒１００の望遠端使用時における断面図である。図４は、レンズ鏡筒１００の広角端使用時における断面図である。図５は、レンズ鏡筒１００の沈胴時における断面図である。
【００１９】
レンズ鏡筒１００は、デジタルカメラやビデオカメラ等の撮像装置（以下、カメラと称す）に設けられ、非撮影時にはカメラ本体内に沈胴される。レンズ鏡筒１００内の撮影光学系により被写体像が形成され、被写体像はカメラ内に設けられた銀塩フィルムに記録され、あるいは固体撮像素子を介して記録媒体に記録される。
【００２０】
本実施形態における撮影光学系は、物体側から順に、正、負、正、正、正の屈折力を有する５つのレンズ群により構成されるズームレンズ系であり、第１レンズ群Ｌ１から第５レンズ群Ｌ５のすべてを移動させることでズーム動作を行う。なお、撮像光学系は、２つ以上のレンズ群により構成すればよく、例えば正、負、正、負、正の屈折力を有する５つのレンズ群や、正、負、正、正の屈折力を有する４つのレンズ群により構成してもよい。
【００２１】
レンズ鏡筒１００は、物体側から順に、第１レンズ群Ｌ１、第２レンズ群Ｌ２、第３レンズ群Ｌ３、第４レンズ群Ｌ４、第５レンズ群Ｌ５を保持する第１レンズ枠１０、第２レンズ枠２０、第３レンズ枠３０、第４レンズ枠４０、第５レンズ枠５０と、第１〜第４レンズ群Ｌ１〜Ｌ４を光軸に沿って所定位置に移動させるカム部材であるカム筒６０と、カム筒６０を光軸Ｚを中心として回動可能に保持する固定筒７０と、固定筒７０を固定する基板８０とを含む。基板８０には、カム筒６０を光軸Ｚを中心として回動させるモータ８２や第５レンズ群Ｌ５を光軸Ｚに沿って所定位置に移動させるモータ８４（図示せず）などが設けられる。
【００２２】
第１レンズ枠１０は円筒状の部材からなり、第１レンズ枠１０の物体側端面の内側にはレンズ保持部１０ａが形成される。レンズ保持部１０ａには、第１レンズ群Ｌ１のレンズ中心が光軸Ｚを通るように、第１レンズ群Ｌ１が固設される。さらに、レンズ保持部１０ａには、カム筒６０内を光軸Ｚと平行に挿通するように、像面側に向けて光軸Ｚを中心に対向する一対のガイドシャフト１２ａ，１２ｂが植設される。加えて、第１レンズ枠１０の像面側の開口部近傍の内周面には、６本の第１カムピン１４ａ，１４ｂ，１４ｃ，１４ｄ，１４ｅ，１４ｆ（一部図示）が光軸を中心として略６０度間隔で枠内方に向けて突設される。第１カムピン１４ａ，１４ｂ，１４ｃ，１４ｄ，１４ｅ，１４ｆは、カム筒６０の外周面上に形成された略螺旋状の第１カム溝６１ａ，６１ｂ，６１ｃ，６１ｄ，６１ｅ，６１ｆと係合するカムピンであり、第１カムピン１４ａ〜１４ｆが第１カム溝６１ａ〜６１ｆに沿って移動することにより、第１レンズ枠１０、すなわち第１レンズ群Ｌ１が光軸方向に摺動される。なお、突設される第１カムピンの数は必ずしも６本である必要はなく、例えば、光軸を中心として略１２０度間隔で３本の第１カムピンを突設してもよい。
【００２３】
第２レンズ枠２０は、第２レンズ群Ｌ２をその中心部に保持する。第１ガイド貫通孔２２ａ，２２ｂは、第２レンズ枠２０の外周面に光軸Ｚに沿ってかつ光軸Ｚを中心に対向する位置に形成される。第１ガイド貫通孔２２ａは端面側から見て円状に形成され、第１ガイド貫通孔２２ｂは端面側から見て枠外方に向けて開口するようにＵ字状に形成される。第１ガイド貫通孔２２ａ，２２ｂは、それぞれ上記の第１ガイドシャフト１２ａ，１２ｂと嵌合もしくは係合する。これにより、第１ガイドシャフト１２ａ，１２ｂが第２レンズ枠２０のガイドレールとして機能し、第２レンズ枠２０がレンズ鏡筒１００内において、光軸Ｚ方向に摺動自在に支持され、第２レンズ枠２０の光軸と直交する軸周りへの回転が規制される。なお、第１ガイド貫通孔２２ａ及び第１ガイド貫通孔２２ｂの端面側からみた形状、すなわち断面形状はともに円状もしくはＵ字状としてもよい。以下に示すその他の貫通孔や貫通溝についても同様である。
【００２４】
さらに、第１貫通溝２４ａ，２４ｂが、第２レンズ枠２０の外周面に光軸Ｚに沿ってかつ光軸Ｚを中心に対向する位置に形成される。一対の第１貫通溝２４ａ，２４ｂは、一対の第１ガイド貫通孔２２ａ，２２ｂに対して光軸を中心に略９０度をなす位置に形成される。第１貫通溝２４ａ，２４ｂは、カム筒６０内を挿通するように基板８０から略垂直に立設された一対の第２ガイドシャフト８６ａ，８６ｂが第２レンズ枠２０に接触するのを防ぐ役割を果たす。そのため、第１貫通溝２４ａ，２４ｂの幅は、第２ガイドシャフト８６の直径よりも十分大きくなるように形成される。
【００２５】
加えて、第２レンズ枠２０の外周面には、１本の第２カムピン２６ａが枠外方に向けて突設される。第２カムピン２６ａは、カム筒６０の内周面上に形成された第２カム溝（図示せず）と係合し、第２カムピン２６ａが第２カム溝に沿って移動することにより、第２レンズ枠２０が光軸方向に摺動される。
【００２６】
第３レンズ枠３０は、第３レンズ群Ｌ３をその中心部に保持する。一対の第２ガイド貫通孔３２ａ，３２ｂは、第３レンズ枠３０の外周面に光軸Ｚに沿ってかつ光軸Ｚを中心に対向する位置に形成される。第２ガイド貫通孔３２ａは端面側から見て円状に形成され、第２ガイド貫通孔３２ｂは端面側から見て枠外方に向けて開口するようにＵ字状に形成される。第２ガイド貫通孔３２ａ，３２ｂは、第２ガイドシャフト８６ａ，８６ｂと嵌合もしくは係合する。これにより、第２ガイドシャフト８６ａ，８６ｂが第３レンズ枠３０のガイドレールとして機能し、第３レンズ枠３０がレンズ鏡筒１００内において、光軸Ｚ方向に摺動自在に支持され、第３レンズ枠３０の光軸と直交する軸周りへの回転が規制される。
【００２７】
さらに、一対の第２貫通溝３４ａ，３４ｂが、第３レンズ枠３０の外周面に光軸Ｚに沿ってかつ光軸Ｚを中心に対向する位置に形成される。第２貫通溝３４ａ，３４ｂは、第２ガイド貫通孔３２ａ，３２ｂに対して光軸を中心に略９０度をなす位置に形成される。第２貫通溝３４ａ，３４ｂは、カム筒６０内を挿通するようにレンズ保持部１０ａに植設された第１ガイドシャフト１２ａ，１２ｂが第３レンズ枠３０に接触するのを防ぐ役割を果たす。そのため、第２貫通溝３４ａ，３４ｂの幅は、第１ガイドシャフト１２の直径よりも十分大きくなるように形成されるのが望ましい。
【００２８】
加えて、第３レンズ枠３０の外周面には、１本の第３カムピン３６ａが枠外方に向けて突設されている。第３カムピン３６ａは、カム筒６０の内周面上に形成された第３カム溝（図示せず）と係合する。第３カムピン３６ａが第３カム溝に沿って移動することにより、第３レンズ枠３０が光軸方向に摺動される。
【００２９】
第４レンズ枠４０は、第４レンズ群Ｌ４をその中心部に保持する。第４レンズ枠４０には、第３レンズ枠３０と同様に、第３ガイド貫通孔４２ａ，４２ｂ及び第３貫通溝４４ａ，４４ｂが形成される。よって、第２ガイドシャフト８６ａ，８６ｂが第４レンズ枠４０のガイドレールとして機能し、第４レンズ枠４０がレンズ鏡筒１００内において、光軸Ｚ方向に摺動自在に支持され、第４レンズ枠４０の光軸と直交する軸周りへの回転が規制される。
【００３０】
また、第４レンズ枠４０の外周面には、１本の第４カムピン４６ａが枠外方に向けて突設される。第４カムピン４６ａは、カム筒６０の内周面上に形成された第４カム溝（図示せず）と係合する。第４カムピン４６ａが第４カム溝に沿って移動することにより、第４レンズ枠４０が光軸方向に摺動される。
【００３１】
加えて、第４レンズ枠４０には、光軸Ｚに直交するＸ軸方向に第４レンズ群Ｌ４を微動させるＸ軸駆動機構（図示せず）がＸ軸に沿って設けられ、光軸Ｚ及びＸ軸に直交するＹ軸方向に第４レンズ群Ｌ４を微動させるＹ軸駆動機構（図示せず）がＹ軸に沿って設けられる。Ｘ軸駆動機構及びＹ軸駆動機構は、電磁コイル及びマグネットを含む。電磁コイルには、カメラに設けられた角加速度センサなどの振動センサから出力された信号に基づく駆動電流が供給され、マグネットとの電磁相互作用により第４レンズ群Ｌ４をＸ軸方向及びＹ軸方向に微動させ、被写体撮影時の手振れによる動きを補正する。Ｘ軸駆動機構及びＹ軸駆動機構は第４レンズ枠４０の面内においてそれぞれＸ軸方向及びＹ軸方向に沿って配置される。このため、第４レンズ枠４０のデッドスペースがＸ軸駆動機構と第４レンズ枠４０の縁の間、及びＹ軸駆動機構と第４レンズ枠４０の縁との間に生じる。第４レンズ枠４０のデッドスペースを有効活用して第４レンズ枠４０のサイズ増大を抑制するために、第３ガイド貫通孔４２ａ，４２ｂ及び第３貫通溝４４ａ，４４ｂはそれぞれ上記のデッドスペースに形成することが好適であり、この場合に第１ガイドシャフト１２ａ，１２ｂと第２ガイドシャフト８６ａ，８６ｂは結果として互いに光軸Ｚを中心として９０度の角度をなす位置に配置されることになる。
【００３２】
第５レンズ枠５０は、第５レンズ群Ｌ５をその中心部に保持する。第５レンズ枠５０には、第３レンズ枠３０と同様に、第４ガイド貫通孔５２ａ，５２ｂが形成される。よって、第２ガイドシャフト８６ａ，８６ｂが第５レンズ枠５０のガイドレールとして機能し、第５レンズ枠５０がレンズ鏡筒１００内において、光軸Ｚ方向に摺動自在に支持され、第５レンズ枠５０の光軸と直交する軸周りへの回転が規制される。第５レンズ枠５０は、基板８０に設けられるモータ８４が光軸Ｚに沿って移動させる。
【００３３】
カム筒６０は、両端が開口した円筒状の部材からなり、第１レンズ枠１０の内側に嵌合する。カム筒６０の外周面上には、６つの第１カム溝６１ａ，６１ｂ，６１ｃ，６１ｄ，６１ｅ，６１ｆ（一部図示）が形成され、第１レンズ枠１０の内周面上に突設された第１カムピン１４ａ，１４ｂ，１４ｃ，１４ｄ，１４ｅ，１４ｆと係合する。また、カム筒６０の像面側開口部の外周面上には、モータ８２の駆動力をカム筒６０に伝達し、カム筒６０を光軸Ｚを中心に回動させるギア部６６が形成される。
【００３４】
さらに、カム筒６０の内周面上には、第２カム溝、第３カム溝、第４カム溝（図示せず）が略螺旋状に形成され、第２レンズ枠２０の第２カムピン２６ａ、第３レンズ枠３０の第３カムピン３６ａ、第４レンズ枠４０の第４カムピン４６ａと係合する。
【００３５】
固定筒７０は、両端が開口した円筒状の部材からなる。固定筒７０は、カム筒６０の内側に嵌合される。固定筒７０の内側には一対の第１ガイドシャフト１２ａ，１２ｂ及び一対の第２ガイドシャフト８６ａ，８６ｂが挿通される。固定筒７０の外周面には光軸Ｚと平行に直進溝７２ａ，７２ｂ，７２ｃが形成される。このように、直進溝７２ａ，７２ｂ，７２ｃが形成されることで、第２カムピン２６ａ，第３カムピン３６ａ，第４カムピン４６ａが、直進溝７２ａ，７２ｂ，７２ｃを貫通して、上記の通りカム筒６０の内周面上に形成された第２カム溝６２ａ、第３カム溝６３ａ、第４カム溝６４ａと係合する。また、固定筒７０の物体側開口部近傍の内周面上には一対の支持部７４ａ，７４ｂが配設されており、支持部７４ａ，７４ｂには、嵌合孔７６ａ，７６ｂが形成される。嵌合孔７６ａ，７６ｂには、第２ガイドシャフト８６ａ，８６ｂが嵌合される。
【００３６】
基板８０には、上記の通り、モータ８２，８４や固定筒７０が固設される。さらに、基板８０には、固定筒７０の内側に、第２ガイドシャフト８６ａ，８６ｂが光軸Ｚと平行かつ光軸Ｚを中心に対向して、物体側に向けて植設される。
【００３７】
本実施形態の構成は以上のようであり、以下、図３乃至図５を用いて望遠端から広角端、さらに沈胴状態に至る動作について説明する。なお、沈胴状態から望遠端に至る動作はこの逆であるためその説明は省略する。
【００３８】
モータ８２を駆動させ、カム筒６０を望遠端状態から広角端状態まで光軸Ｚを中心に回転させると、第１レンズ群Ｌ１は光軸Ｚに沿って像面側に移動する。第２レンズ群Ｌ２は、図からは明らかでないが、一度光軸Ｚに沿って像面側に移動した後、折り返して物体側に移動する。第３レンズ群Ｌ３及び第４レンズ群Ｌ４は光軸Ｚに沿って像面側に移動する。また、図からは明らかでないが、第５レンズ群Ｌ５は、モータ８４の駆動により、一度光軸Ｚに沿って物体側に移動した後、折り返して像面側に移動する。また、カム筒６０を広角端状態から沈胴状態まで光軸Ｚを中心に回転させると、第１レンズ群Ｌ１、第２レンズ群Ｌ２、第３レンズ群Ｌ３は、光軸Ｚに沿って像面側に移動する。一方、第４レンズ群Ｌ４及び第５レンズ群Ｌ５は現在の位置に留まる。なお、各レンズ群の光軸Ｚに沿った移動の経路は上記に限らず、レンズ群の構成に応じて変更すればよい。
【００３９】
ここで、本実施形態では、第１ガイドシャフト１２ａ，１２ｂの中心軸と光軸Ｚとを含む第１平面と、第２ガイドシャフト８６ａ，８６ｂの中心軸と光軸Ｚとを含む第２平面とは、異なる平面となるように、第１ガイドシャフト１２ａ，１２ｂ及び第２ガイドシャフト８６ａ，８６ｂ（以下、特に区別する必要がない場合には、「ガイドシャフト」と総称する）をそれぞれの位置に植設する。このような位置に各ガイドシャフトを植設することで、第１レンズ枠１０を像面側に沈胴させる際に各ガイドシャフトが障壁とならない。また、第１平面と第２平面とを異なる平面とすること、つまり、レンズ鏡筒を光軸Ｚの方向から見た場合に、一対の第１ガイドシャフト１２ａ、１２ｂと一対の第２ガイドシャフト８６ａ，８６ｂとを同一位相ではなく異なる位相に配置することで、第１ガイドシャフト１２ａ，１２ｂと第２ガイドシャフト８６ａ，８６ｂとを、光軸Ｚ方向から見て光軸Ｚを中心とする同一円周上に設けることが可能となり、レンズ鏡筒の径を小さくすることができる。また、第１平面と第２平面とが光軸Ｚを中心に直交するように、すなわち位相差が９０度となるようにガイドシャフトを設けることでスペースユーティリティを確保しつつレンズ鏡筒の径を小さくできる。
【図面の簡単な説明】
【００４０】
【図１】物体側から見た本実施形態に係るレンズ鏡筒の分解斜視図である。
【図２】像面側から見た本実施形態に係るレンズ鏡筒の分解斜視図である。
【図３】本実施形態に係るレンズ鏡筒の望遠端使用時における断面図である。
【図４】本実施形態に係るレンズ鏡筒の広角端使用時における断面図である。
【図５】本実施形態に係るレンズ鏡筒の沈胴時における断面図である。
【符号の説明】
【００４１】
Ｌ１  第１レンズ群、Ｌ２  第２レンズ群、Ｌ３  第３レンズ群、Ｌ４  第４レンズ群、Ｌ５  第５レンズ群、１０  第１レンズ枠、１２ａ，１２ｂ  第１ガイドシャフト、２０  第２レンズ枠、３０  第３レンズ枠、４０  第４レンズ枠、５０  第５レンズ枠、６０  カム筒、７０  固定筒、８０  基板、８６ａ，８６ｂ  第２ガイドシャフト、１００  沈胴式レンズ鏡筒。
【図１】
2007271792.tif 000003
【図２】
2007271792.tif 000004
【図３】
2007271792.tif 000005
【図４】
2007271792.tif 000006
【図５】
2007271792.tif 000007